(57)【要約】  本発明は、位置エネルギーを保存するシステム（１０）であって、液圧シリンダ（２）と、上昇される質量体（１）と、前記上昇される質量体（１）の端におけるシールリング（３３）とを備え、前記上昇される質量体（１）は、切り出された岩盤によって表される、岩盤の質量体であり、前記液圧シリンダ（２）は、前記切り出された岩盤と周囲の岩石との間における空洞によって形成され、前記空洞は、前記シールリング（３３）によって前記周囲の岩石から密閉されるシステムに関する。本発明は、同システムを製造する方法に更に関する。
2013536667.tif 000002
【特許請求の範囲】
【請求項１】
位置エネルギーを保存するシステム（１０）であって、
液圧シリンダ（２）と、
上昇される質量体（１）と、
前記上昇される質量体（１）の端におけるシールリング（３３）と、を備え、
前記上昇される質量体（１）は、切り出された岩盤によって表される、岩盤の質量体であり、
前記液圧シリンダ（２）は、前記切り出された岩盤と周囲の岩石との間における空洞によって形成され、
前記空洞は、前記シールリング（３３）によって前記周囲の岩石から密閉される、システム。
【請求項２】
１つ以上のバラスト手段が前記質量体（１）の上側に配置される、請求項１に記載の位置エネルギーを保存するシステム（１０）。
【請求項３】
前記シールリング（３３）は前記上昇される質量体の周りを囲む錐状体（５２）を備え、該錐状体（５２）に、シールビーズ（５５）を備える板状体（５４）を支持する円柱状の連節接合部（５３）が挿入されており、液体の圧力によって前記シールビーズ（５５）が前記液圧シリンダ（２）の壁面（５７）に対して押されることによって密閉が得られる、請求項１又は２に記載の位置エネルギーを保存するシステム（１０）。
【請求項４】
前記板状体（５４）の下部に稠密な軟性材料（５６）が取り付けられており、前記シールビーズ（５５）と前記上昇される質量体（５１）とに密着される、請求項３に記載の位置エネルギーを保存するシステム（１０）。
【請求項５】
前記シールリング（３３）が作動高さの中間の高さ（Ｈ／２）に配置されるように、回転シールリングが提供される、請求項１〜４のいずれか１項に記載の位置エネルギーを保存するシステム（１０）。
【請求項６】
質量体を上昇させて位置エネルギーを保存するシステムを製造する方法であって、
ａ）シャフト（３０）を沈める工程であって、該シャフトはＨ以上の地下深度を有する、前記工程と、
ｂ）前記深度Ｈにおいて、少なくとも１つの第１水平通路（３２）を、液圧シリンダ（２）の壁が配置される点まで、延伸させる工程と、
ｃ）前記第１水平通路（３２）における液圧シリンダ（２）の壁が配置される点から開始し、それ自体で閉じている第１トンネル（３６）を山中に延伸させる工程と、
ｄ）地面（３）から深度Ｈまで少なくとも１つのボア（４１）を沈める工程であって、各ボア（４１）は地面（３）から前記第１トンネル（３６）まで前記第１トンネル（３６）に対して垂直に延びる、前記工程と、
ｅ）少なくとも１つの石切鋸を前記ボア（４１）に導入する工程と、
ｆ）前記地面（３）と前記トンネル（３６）との間に前記液圧シリンダ（２）の壁を形成するように、前記石切鋸で、少なくとも１つの部分を切断する工程と、
ｇ）前記トンネル（３６）から、形成される前記液圧シリンダ（２）の中心へ、水平なボア孔を導く工程と、
ｈ）前記液圧シリンダ（２）の底部と前記質量体（１）との間に固定の機械的な接続が存在しないように、前記液圧シリンダ（２）の底部において岩石を破壊する工程と、
ｉ）液体が前記液圧シリンダ（２）の中に供給されるように、液体の貯留部と前記液圧シリンダ（２）の底部との間にトンネルの部分（４，５）を延伸させる工程と、
ｊ）前記上昇される質量体（１）にシールリング（３３）を固定する工程と、
ｋ）防水になるように前記第１水平通路（３２）を閉じる工程と、を備える方法。
【請求項７】
少なくとも１つの更なる水平通路（３１）が、Ｈより小さい深度において、前記液圧シリンダ（２）の壁が配置される点まで延伸され、
更なる水平通路（３１）において、前記液圧シリンダ（２）の壁が配置される点から開始するように、それ自体で閉じられている少なくとも１つの更なるトンネル（３５）が山中へ延伸され、
前記更なる水平通路（３１）が防水になるように閉じられる、請求項６に記載の方法。
【請求項８】
ｅ），ｆ）工程を実行するに際し、いくつかの石切鋸が異なるボア孔（４１）において同時に用いられる、請求項６又は７に記載の方法。
【請求項９】
ｈ）工程は、発破によって実行される、請求項６〜８のいずれか１項に記載の方法。
【請求項１０】
上昇される質量体（１）の表面の測定が、重力計を用いて行われる、請求項６〜９の何れか１項に記載の方法。
【発明の詳細な説明】
【技術分野】
【０００１】
本発明は、位置エネルギーを保存するシステム（１０）であって、液圧シリンダ（２）と、上昇される質量体（１）と、前記上昇される質量体（１）の端におけるシールリング（３３）とを備え、前記上昇される質量体（１）は、切り出された岩盤によって表される、岩盤の質量体であり、前記液圧シリンダ（２）は、前記切り出された岩盤と周囲の岩石との間における空洞によって形成され、前記空洞は、前記シールリング（３３）によって前記周囲の岩石から密閉されるシステムに関する。本発明は、同システムを製造する方法に更に関する。
【背景技術】
【０００２】
エネルギーは、質量体を持ち上げる方法によって保存できることが公知である。最も知られている方法は、水が貯留部からより高い高さへ揚水される、揚水貯蔵水力発電所である。要求に応じて、そのエネルギーは、間に配置されたタービンに水を放出することによって、変換して再び電気エネルギーに戻すことができる。この方法は、相当な空間を必要とする貯蔵池が高い高さにあることを要求することから、適切な用地は山岳地域にのみ存在するという欠点を有する。この技術の優れた概説は、インターネットのサイトｈｔｔｐ：／／ｄｅ．ｗｉｋｉｐｅｄｉａ．ｏｒｇ／ｗｉｋｉ／Ｐｕｍｐｓｐｅｉｃｈｅｒｋｒａｆｔｗｅｒｋに見られる。
【先行技術文献】
【特許文献】
【０００３】
【特許文献１】米国特許第６，９９６，９３７号明細書
【特許文献２】独国特許出願公開第１０２００７０５７３２３号明細書
【発明の概要】
【発明が解決しようとする課題】
【０００４】
一代替策は、「位置エネルギー保存システム」（特許文献１）に記載の液圧発電システムにより、建造物を持ち上げる方法である。ここでの欠点は、建造物の建造にかかる技術費用が高いことと、経費に対して保存可能なエネルギー量が比較的小さいこととである。特許文献２に記載のクレーンで質量体を持ち上げる方法、あるいは、より高い位置に質量体をレールを通じて移動させる方法などの類似案は、保存されるエネルギーの単位あたりの高いコスト及びシステムの高消耗を伴う。
【課題を解決するための手段】
【０００５】
本発明は、位置エネルギーを保存するシステム及び同システムを製造する方法を提供することの問題に関し、ドイツなどの国が日常必要とする程度の大量のエネルギーを保存することに適しており、保存されるエネルギーの単位あたりのコストが低くなり、システムの消耗が低くなる。
【０００６】
この問題は、特許請求の範囲の請求項１に係る位置エネルギーを保存するシステム及び特許請求の範囲の請求項６の特徴を有するシステムなどを製造する方法によって、解決される。本発明の優位な発展によって、関連する従属請求項の要旨が形成される。
【０００７】
位置エネルギーを保存する本発明に係るシステムは、液圧シリンダと、上昇される質量体と、上昇される質量体の端におけるシールリングとを備えており、よって、上昇される質量体と同様に面している液圧シリンダの内壁との間の間隙が、液体（ここではとりわけ、水）の圧力の通路に対して少なくとも１つの場所において、密閉されることが保証され
る。上昇される質量体は、従って、液圧シリンダにおいて誘導されるピストンを形成する。ここで更に指摘されることは、液圧シリンダは、円形状から逸脱した断面もまた有することができるということである。しかし、有利には、地面と地球の中心との間の方向における液圧シリンダの長さを通じて断面形状は一定であり、それにより、上昇される質量体が液圧シリンダにおいて傾くことが可能な限り防止される。
【０００８】
本発明では、上昇される質量体は、岩盤の質量体（典型的には、切り出された岩盤）である。液圧シリンダは、周囲の岩石と切り出された岩盤との間の空洞によって形成され、同空洞は、シールリングによって周囲の岩石から密閉される。すなわち、位置エネルギーを保存するための公知のシステムとは対照的に、上昇される質量体と液圧シリンダとが「岩盤から作り出される」という状況が提供される。
【０００９】
以下では、「上部」及び「底部」という用語が、液圧シリンダ及び／又は上昇される質量体に関連して使用されるとき、「底部」は、地球の中心に面する側を意味しており、「上部」は、この面の反対側を意味する。
【００１０】
特に有利な本発明の実施形態では、上昇される質量体の容積内の物質において起こり得る密度変動（天然の岩石の場合には考えられる）、上昇される質量体の端部にバラスト手段を配置することによって、補償される。この端部は、大気に面しており、すなわち、初めは地面の一部を形成していた上側である。より詳細には、水タンクが、バラスト手段として用いられることができる。このようにして、上昇される質量体が液圧シリンダにおいて傾くこと（それによってシリンダの移動を妨げ得る）を回避することができる。
【００１１】
位置エネルギーを保存するシステムにおいて達成される特に優れた密閉では、シールリングは、上昇される質量体の円周を囲む錐状体によって形成されており、シールビーズと共に提供される板状体を支持する円柱状の連節接合部が挿入される。従って、液圧液の圧力によって、シールビーズは液圧シリンダの壁の表面に対して押され、その結果、密閉が得られる。高圧力下における特に優れた密閉の結果、一実施形態では、特に好適には、稠密軟性材料が板状体の下に取り付けられ、シーリングビーズ及び上昇される質量体に密着する。
【００１２】
シールリングが作動高さの中間に配置され、回転シールリングが提供される場合、上昇される質量体の昇降は、とりわけ低摩擦下において行われることができる。
本発明に係る位置エネルギーを保存するシステムを製造する方法は、少なくとも次の工程を備えている。
【００１３】
ａ）深さＨ以上の地下深度にシャフトを沈める工程。深さＨは、それによって、動作方向、すなわち、地面と地球の中心との間の方向において上昇される質量体の長さにおおよそ対応する。より詳細には、このシャフトは、続く作業のため供給及び伝達シャフトとして機能し、一般的には、後に上昇される質量体を形成する領域外に優位に延びる。深さＨは必ずしも単一の沈める工程において到達される必要はなく、一部分を沈めた後、方法のうちの更なる工程が更なる部分を沈める前又は同時に行われることができる。当然ながら、そうしたいくつかのシャフトが、例えば、伝達経路を減少させるために、沈められることも可能である。
【００１４】
ｂ）少なくとも１つの第１水平通路を深さＨにおいて液圧シリンダの壁が配置される点まで延伸させる工程。
ｃ）第１水平通路における液圧シリンダの壁が配置される点から開始し、第１トンネルを山中に延伸させる工程。第１トンネルは、それ自体によって閉じている。すなわち、その開始点と終点とが互いに合わさっている。この第１トンネルは、続く液圧シリンダの円
周の外形を有利に提供する。
【００１５】
ｄ）少なくとも１つのボアを地面から深さＨに沈める工程。ボアは、地面から第１トンネルまで、それぞれが第１トンネルに対し垂直に延びるように配置される。これらのボアは、以降の工程において、上昇される質量体を切り離し、従って同時に液圧シリンダがその壁面から製造されるための開始点として使用されることができる。
【００１６】
ｅ）少なくとも１つの石切鋸をボアに導入する工程。
ｆ）石切鋸で、地面とトンネルとの間において、液圧シリンダの壁の少なくとも１つの部分を切り離す工程。
【００１７】
工程ｄ）〜ｆ）は、すなわち、液圧シリンダの側面と上昇される質量体とを製造する役割を担う。
ｇ）水平ボア孔を、トンネルから液圧シリンダの中心へ誘導する工程。
【００１８】
ｈ）シリンダのベースと上昇するピストンとの間に、固定された機械的な接続がもはや存在しなくなるように、液圧シリンダの底面において岩石を破壊する工程。
工程ｇ），ｈ）によって、液圧シリンダの底面（すなわち、下）及び上昇される質量体が製造される。
【００１９】
ｉ）液体が液圧シリンダの中に供給されるように、液体の貯留部と液圧シリンダの底面との間において、トンネル部分を延伸させる工程。
ｊ）上昇される質量体において、シールリングを固定する工程。
【００２０】
ｋ）第１水平通路が防水になるように、閉める工程。
この方法における各工程は、順次行われることができるが、互いに並行して行われることも可能である。一般に、時間を稼ぐためには、並行して行うことが望ましいが、より大量の資源の利用が必要である。
【００２１】
本方法の１つの有利な展開では、少なくとも１つの更なる水平通路は、Ｈ未満の深さにおいて延伸され、液圧シリンダの壁の位置になる点まで延伸される。それ自体で閉じられた更なるトンネルは、次いで、山中に延伸され、液圧シリンダの壁の位置になる第１平行通路の点から始まり、更なる平行通路は、防水になるように閉められる。実現可能な液圧シリンダの最大の深さは、石切鋸の性能によって制限されるものの、これにより、増加されることができる。
【００２２】
作業工程の並行化は、とりわけ、工程ｅ），ｆ）を実行するに際し、いくつかの石切鋸が異なる穴に同時に使用される場合、実現されることができる。
発破は、ｈ）工程を実行するための、とりわけ単純な方法である。
【００２３】
上昇される質量体に可能な限り最も均一な重量の分配を得ることは、とりわけ望ましい。従って、重力計を用いることによって、本方法によって得られる、上昇される質量体の表面の測定を行うことは得策である。
【００２４】
本発明は、液圧システムによって大きな岩盤の質量体が上昇されるという基本的な思想に基づいており、上昇される質量体は、好適には円柱状体に切り出された岩盤によって表される。液圧シリンダは、囲まれた岩石と切り出された岩盤との間に形成される結果的な空洞である。この空洞は、上昇される質量体の端のシールリングによって周囲の岩石に対して密閉される。空洞は、高圧ポンプ及びポンプと空洞との接続通路の手段によって貯留部からの水で満たされる。岩盤の質量体は、それによって、液圧の結果、上昇され、次い
で、位置エネルギー（高さエネルギー）を保存する。揚水貯蔵水力発電所において通常であるように、圧力をかけられた接続通路及びタービンを通じて水を流す要求がされるとき、この位置エネルギーは、取り除かれる。電力は、タービンの回転エネルギーから、発電機を通じて従来的に得られ、転送される。
【００２５】
本発明の利点は、とりわけ、切り出された岩盤の質量体がシステム半径の３乗だけ増加するが、しかしながら、主な製造コストの増加を引き起こす断面積は、システム半径の２乗しか増加しないという事実にある。
【００２６】
このことは、シリンダの曲表面積Ｍに対する式から導かれる。ここで、高さｈがシリンダの直径に相当する。
Ｍ  ＝  ２  ×  π  ×  ｒ  ×  ｈ  ＝  ４  ×  π  ×  ｒ２  （１）
他方、保存されたエネルギーの量は、システム半径の４乗だけ増加する。なぜなら、実現可能な上昇される高さは、システム半径と比例して増加する傾向があるからである。
【００２７】
最大保存エネルギーは、岩石の密度ρ１と液圧状況に応じて考慮される有効密度ρ２とから計算される。密度ρ３の水が岩石の質量体に置き換わるからである。有効密度は、従って、
ρ２  ＝  ρ１  −  ρ３  （２）
である。
【００２８】
質量体ｍに対する地球の重力の落下定数ｇにおける上昇される高さＤに対する位置エネルギーＥについての式は、
Ｅ  ＝  ｇ  ×  ｍ  ×  Ｄ  （３）
である。
【００２９】
シリンダの有効質量体は、
ｍ  ＝  π  ×  ｒ２  ×  ｈ  ×  ρ２  （４）
に従って計算される。
【００３０】
式（３）に式（４）を用いて、Ｄ＝ｒを代入すると、
Ｅ  ＝ｇ  ×  π  ×  ｒ２  ×  ２  ×  ｒ  ×  ρ２  ×  ｒ  （５）
である。
【００３１】
式（５）は、まとめると、
Ｅ  ＝  ｇ  ×  ρ２  ×  ２  ×  π  ×  ｒ４  （６）
である。
【００３２】
このシステムにおいて、保存されたエネルギーは、システム半径の４乗に比例して増加するということが示される。
システム半径は、シリンダ形状質量体が上昇される単純な場合、シリンダの半径ｒとシリンダの高さｈとがシリンダの直径ｄ（ｄ＝２×ｒ）に対応する。シールが長さＬを有しており、長さＬは、システム半径に比例しており（Ｌ＝２×π×ｒ）、ゆえに、大きなシステムの場合、他の要素と比較してとりわけ大きくはない。
【００３３】
本発明は、ここで、実施形態を例示する図を参照して更に詳細に説明される。
同一の設計を有する同じ部材部品は、他に言及されない限り、全ての図において同じ参照番号を付して提供される。
【図面の簡単な説明】
【００３４】
【図１】位置エネルギーを保存するシステムの実施形態を示す図。
【図２】同システムを構築する方法を実装する第１の中間段階を示す図。
【図３】同システムを構築する方法を実装する第２の中間段階を示す図。
【図４】上昇される質量体を岩石から切り出す方法の詳細な概要を示す図。
【図５】同システムのためのシールリングの構築を示す詳細な図。
【発明を実施するための形態】
【００３５】
図１に例示される本発明の実施形態は、下記に更に詳細に記載される。例示される位置エネルギーを保存するシステム１０の場合、直径ｄを有する岩盤の断面である上昇されるピストン１は、シリンダ２において誘導され、上昇されるピストン１を岩盤から切り出すことによって形成される。シール１ｂは、岩石から切り出された上昇される質量体によって形成される上昇されるピストン１と、液圧シリンダとして機能するシリンダ２との間において、部分ｈの中間点、すなわち、高さｈ／２まで取り付けられている。水はポンプ８によって、貯留部９からシリンダ２に、パイプシステム５，６を通じて、点４において、下から供給される。表面領域３は、地面を表す。上昇されるピストンが上げられた位置（上昇された高さ）Ｄに配置される場合、次いで、水は、液圧圧力手段によって、タービン７を通じて貯留部９に、いつでも流れ戻ることができ、これによって、発電機７ｂにおいて電力を生成する。
【００３６】
保存できるエネルギーＥの量は、上昇高さＤとシリンダ２の有効質量体ｍとに、単純式：Ｅ＝ｇ×Ｄ×ｍにおいて、依存する。この式において、ｇは重力加速度であり、９．８１Ｎ／ｋｇである。
【００３７】
大量のエネルギーを保存するためには、質量体ｍは可能な限り大きくなるように選択されなければならない。上昇高さＤは、シリンダの長さｈの半分未満である必要があるので、任意に選択することはできない。そうしないと、ピストンを上昇するに際し傾くという結果になり得るからである。
【００３８】
この実施形態の構築は、下記に図２〜４を参照して詳細に記載される採掘によって行われる。第１に、図２に示されるように、シャフト３０が地下深度Ｈに沈められる。このシャフトから、２つの通路、すなわち、深さＨにおける通路３２と、深さＨ／２における通路３１とが、予定されているシリンダ２の壁まで水平に延伸される。そこから、後に上昇されるピストン２の直径ｄに相当するドーナツ形状の直径を有する、環状のトンネル３５と３６とが山中に延伸される。
【００３９】
図２に示されるように、シャフト３０が深さＧだけ更に沈められた場合、後にパイプ部分６として機能するか、それを収容することができる。
図３に示されるように、いくつかのボア４１は、地面３から下の深さＨに比較的小さな半径を有し沈められる。これらのボア孔４１は、シリンダの壁を切削するための石切鋸を導入するように機能する。
【００４０】
図４には、石切鋸の刃部５１ｄを備える石切鋸の帯部５１ｃが、地面に位置する石切鋸駆動上部５１ａと、トンネル３５の中に位置する石切鋸駆動下部５１ｂとの間に延びる様を示す。石切鋸の帯部５１ｃは、石切鋸駆動上部及び／又は、石切鋸駆動下部５１ａ，５１ｂによって駆動されて移動し、岩盤の壁に対して誘導される。岩石は、それにより、トンネル３５において、少しずつ削られ、除去される。加えて、石切鋸の帯部５１ｃは、石切鋸駆動上部５１ａを用いて上部に導入される水で冷却されることができる。２つの石切鋸駆動部５１ａ，５１ｂは、上昇されるピストン２に対応する円弧において誘導される。上昇されるピストン２の上部の円形状の断面は、それによって形成される。この作業は、全てのボア孔４１に対して並行して行われることができる。
【００４１】
これに並行して、更なる石切鋸の帯部は、トンネル３５，３６に位置する石切鋸駆動部によって、ボア孔４１を通じてトンネル３５からトンネル３６に同様に誘導される。上昇されるシリンダの下部分は、次いで、取り除かれる。非常に高さのあるシリンダにおいて、更なるドーナツ形状のトンネルが提供されることができ、よって、石切鋸の帯部の長さは、技術的な可能性を越えない。
【００４２】
これらの業務作業と並行して、水平ボア孔は、底部のトンネルであるトンネル３６からシリンダ２の中心へ誘導される。これらの穴には、爆発物が詰められ、次いで、爆破される。これにより形成されるシリンダの底部の領域における岩石が破壊されると、シリンダの底部と上昇されるピストンとの間には、固定の機械的な接続は、もはや存在しない。
【００４３】
これに並行して、図１のトンネル部分４，５は、シリンダ２の底部に到達するように、延伸され、このトンネルを通って、水がシリンダに提供されることができる。
切断作業が完了されるとき、シールリング３３は、上昇するピストンに図２のトンネル３５から固定される。この後、接続通路３１，３２は、防水されるように閉じられる。ここで、水はポンプ８を通じて注入され、よって、エネルギーが保存されることができる。
【００４４】
図５は、シリンダ２の壁における不均一を調整するように応答することができる、好適な構造におけるシールリング３３を示す。この目的のために、円柱状の連節接合部５３は、上昇されるピストン１の全体を囲む錐状体５２に挿入される。連節接合部は、水圧５８による結果としてシールビーズ５５と共にシリンダ壁２の表面５７に対して押される板状体５４を支持しており、これによりピストン１をその周囲から密閉する。密封作用を向上させるため、ビーズ５５及びピストン５１に密着する高密軟性材料５６は、密閉している板状体の下に取り付けられることができる。板状体５４は、その長さが数キロメートルであることができるほど長いので、一次元の機械的な挙動を示すということに留意すべきである。
【００４５】
半径５００ｍを有するシステムによって保存できるエネルギー量の計算例をここで示す。予想される岩石の平均密度ρ１＝２５００ｋｇ／ｍ３と式（２）に従う有効密度ρ２＝１５００ｋｇ／ｍ３により、式（６）の計算結果は、Ｅ＝９．８１Ｎ／ｋｇ×１５００ｋｇ／ｍ３×２×３．１４×（５００ｍ）４、すなわち、Ｅ＝５，７７５，６３７，５００，０００，０００ジュールである。
【００４６】
よく用いられる単位であるキロワット／時に変換すると、１，６０４，３４３，７５０ｋＷｈがシステムにおいて保存されることができる。比較すると、２００９年のドイツにおける平均的な一日の総発電量は、１，６３５，０００，０００ｋＷｈである。出典は、ＢＭＷＩ（ドイツ連邦経済技術省のエネルギー統計）であり、インターネットのサイトは、ｈｔｔｐ：／／ｂｍｗｉ．ｄｅ／ＢＭＷｉ／Ｎａｖｉｇａｔｉｏｎ／Ｅｎｅｒｇｉｅ／Ｓｔａｔｉｓｔｉｋ−ｕｎｄ−Ｐｒｏｇｎｏｓｅｎ／ｅｎｅｒｇｉｅｄａｔｅｎ．ｈｔｍｌである。
【００４７】
比較対象となる水力を用いた貯留電力所の全てと比較すると、保存されるエネルギー量が非常に大きいことは、計算から明らかである。従って、環境を侵すことが比較的少ない。水のみが地面に汲み上げられ、地表への侵入の必要は僅かであり、基本的には上昇されるピストンの表面領域に限られる。しかして、この侵入は、その上昇を通じて容易に視認される。システムの壊滅的な故障には、水が突然システムから漏れ出る必要があるが、そのようなことは構築方法の結果として不可能であり、そうした故障はダムなどと比較すると想定し難い。
【図１】
2013536667.tif 000003
【図２】
2013536667.tif 000004
【図３】
2013536667.tif 000005
【図４】
2013536667.tif 000006
【図５】
2013536667.tif 000007
【国際調査報告】
2013536667.tif 000008
2013536667.tif 000009
2013536667.tif 000010
2013536667.tif 000011